(57)【要約】【課題】外光を利用した照明システムにおいて、外光が変動しても照明対象の照度が変動しないようにする。【解決手段】外光利用照明システム１は、建造物の開口部近傍に配置されて外光を採光する採光装置２と、採光された光を導光する導光装置３と、導光された光を照射対象に照射する照射装置５と、電力供給を受けて発光して照射装置５による光を補う発光装置６と、照射対象の明るさを測定する明るさセンサ７と、明るさセンサ７による測定結果に基づいて照射対象の明るさが所定の照度となるように発光装置６の出力を制御する制御装置８とを備える。これにより、外光が変動しても照射対象の照度が変動しない。【選択図】図２
2011154827.tif 000002
【特許請求の範囲】
【請求項１】
建造物の開口部近傍に配置されて外光を採光する採光装置と、前記採光装置によって採光された光を導光する導光装置と、前記導光装置によって導光された光を照射対象に照射する照射装置と、を備えた外光利用照明システムであって、
前記照射装置とは別個に、電力供給を受けて発光して前記照射装置による光を補う発光装置と、
前記照射対象の明るさを測定する明るさセンサと、
前記明るさセンサによる測定結果に基づいて前記照射対象の明るさが所定の照度となるように前記発光装置の出力を制御する制御装置と、をさらに備えたことを特徴とする外光利用照明システム。
【請求項２】
前記導光装置は、
前記採光装置によって採光された光を集光する集光ユニットと、
前記集光ユニットによって集光された光を導光する導光路と、
前記導光路によって導光された光を分岐する分岐ユニットと、を有することを特徴とする請求項１に記載の外光利用照明システム。
【請求項３】
前記建造物に配置され、前記発光装置、明るさセンサ及び制御装置に給電するための配線ダクトを有し、
前記配線ダクトは、前記導光装置の一部を収容する収容部を有し、
前記照射装置は、前記収容部に収容された導光装置の一部に接続されると共に、前記配線ダクトに取り付けられることを特徴とする請求項１又は請求項２に記載の外光利用照明システム。
【請求項４】
前記明るさセンサは、前記照射装置及び発光装置から前記制御装置を介して離間して配置されることを特徴とする請求項３に記載の外光利用照明システム。
【発明の詳細な説明】
【技術分野】
【０００１】
本発明は、外光を採光し、採光された光を建造物内で導光して照明に利用する外光利用照明システムに関する。
【背景技術】
【０００２】
従来から、外光を照明に有効利用することによってエネルギー消費の抑制を図った照明システムがあり、例えば、外光を凸レンズ又は凹面鏡等の集光部材で集光し、集光した光をアクリル製棒体で建造物内で導光して照射するものが知られている（例えば、特許文献１参照）。しかし、このような照明システムは、外光が時刻や天候によって大きく変動するため、照明対象の照度が一定とならず、快適な照明とはならない。また、この照明システムは、１つの集光部材で集光した光を建造物内で一旦照射し、さらにその照射光を他の集光部材で集光して順次中継することによって複数の箇所で光を照射するので、光を照射する箇所で光の損失があり、光が十分に照射されない箇所が生じる。
【０００３】
また、採光した外光を内周面を反射面とした導光パイプによって建造物内で導光する照明システムが知られている（例えば、特許文献２参照）。この照明システムは、導光パンプ内の任意の位置に光コンセントを配置して複数の箇所で光を照射可能としている。光コンセントは、光を照射する位置では開放され、他の位置では閉止される。光コンセントの閉止によって光の損失が低減される。しかし、このような照明システムは、導光パイプ等の施工が煩雑であり、また、外光の変動により照明対象の照度が一定とならず、開放する光コンセントの数によって照度が変わる。
【０００４】
また、外光をブラインド様の部材で採光し、その光を反射鏡を用いて建造物内で導光する照明システムが知られている（例えば、特許文献３参照）。この照明システムは、導光される光が開放空間内を進むので、反射鏡の正確な施工が必要であり、施工が容易ではない。また、人工光源による照度補正について簡単に記載されているが、太陽の僅かな高度変化によって建造物内の照度分布が変動するので、複数の照度検知手段を用いた大掛かりな照度補正が必要となり、システムの実用化が容易ではない。
【先行技術文献】
【特許文献】
【０００５】
【特許文献１】特開平６−７６６１２号公報
【特許文献２】特開平１０−２４１４３０号公報
【特許文献３】特開２００５−１６６４５６号公報
【発明の概要】
【発明が解決しようとする課題】
【０００６】
本発明は、上記問題を解決するものであり、外光を利用した照明システムにおいて、外光が変動しても照明対象の照度が変動しないようにすることを目的とする。
【課題を解決するための手段】
【０００７】
上記目的を達成するために請求項１の発明は、建造物の開口部近傍に配置されて外光を採光する採光装置と、前記採光装置によって採光された光を導光する導光装置と、前記導光装置によって導光された光を照射対象に照射する照射装置と、を備えた外光利用照明システムであって、前記照射装置とは別個に、電力供給を受けて発光して前記照射装置による光を補う発光装置と、前記照射対象の明るさを測定する明るさセンサと、前記明るさセンサによる測定結果に基づいて前記照射対象の明るさが所定の照度となるように前記発光装置の出力を制御する制御装置と、をさらに備えたものである。
【０００８】
請求項２の発明は、請求項１に記載の外光利用照明システムにおいて、前記導光装置は、前記採光装置によって採光された光を集光する集光ユニットと、前記集光ユニットによって集光された光を導光する導光路と、前記導光路によって導光された光を分岐する分岐ユニットと、を有するものである。
【０００９】
請求項３の発明は、請求項１又は請求項２に記載の外光利用照明システムにおいて、前記建造物に配置され、前記発光装置、明るさセンサ及び制御装置に給電するための配線ダクトを有し、前記配線ダクトは、前記導光装置の一部を収容する収容部を有し、前記照射装置は、前記収容部に収容された導光装置の一部に接続されると共に、前記配線ダクトに取り付けられるものである。
【００１０】
請求項４の発明は、請求項３に記載の外光利用照明システムにおいて、前記明るさセンサは、前記照射装置及び発光装置から前記制御装置を介して離間して配置されるものである。
【発明の効果】
【００１１】
請求項１の発明によれば、採光される外光が変動しても、発光装置が照射装置による光を補うので、照射対象の照度が変動せず、一定の照度が得られる。このため、実用性のある外光利用照明システムを提供することができる。
【００１２】
請求項２の発明によれば、導光装置は、採光された光を集光ユニットによって集光してから導光するので、導光路の数が少なくて済み、導光路の施工が容易となる。また、導光された光を分岐ユニットによって分岐することにより、複数の照射装置に適切に光量配分することができる。
【００１３】
請求項３の発明によれば、配線ダクトを設けることにより、導光装置、照射装置、発光装置、明るさセンサ及び制御装置を建造物の内装面に大きな影響を与えることなく施工することが出来る。このため、外光利用照明システムを新設工事だけでなく改修工事として施工することが容易となる。
【００１４】
請求項４の発明によれば、明るさセンサを照射装置及び発光装置から離間して配置することによって、明るさセンサに照射装置及び発光装置からの直射光が入り難くなり、明るさの誤測定が低減される。
【図面の簡単な説明】
【００１５】
【図１】本発明の一実施形態に係る外光利用照明システムの配置例を示す図。
【図２】同システムのブロック構成図。
【図３】同システムにおける採光装置と導光装置の斜視図。
【図４】同採光装置における採光ユニットの断面図。
【図５】同採光ユニットの変形例の断面図。
【図６】上記採光ユニットを支持する構成の斜視図。
【図７】上記システムにおける導光装置の変形例の断面図。
【図８】同導光装置の別の変形例の断面図。
【図９】同導光装置のさらに別の変形例の断面図。
【図１０】上記システムにおける配線ダクトの斜視図。
【図１１】同配線ダクトに取り付けられる照明器具の斜視図。
【図１２】同照明器具における照射装置の断面図。
【発明を実施するための形態】
【００１６】
本発明の一実施形態に係る外光利用照明システムを図１乃至図１２を参照して説明する。図１及び図２に示されるように、外光利用照明システム１（以下、照明システムという）は、外光を採光する採光装置２と、採光装置２によって採光された光を導光する導光装置３と、導光装置３によって導光された光を利用して照明する照明器具４とを有する。採光装置２は、建造物Ｈの開口部Ｗの近傍に配置される。照明器具４は、導光装置３によって導光された光を照射対象に照射する照射装置５を有する。照射対象は、例えば、建造物Ｈ内の床面Ｆ等である。
【００１７】
導光装置３は、集光ユニット３１と、導光路としての導光用光ファイバ３２と、分岐ユニット３３とを有する。導光路は、導光用光ファイバ３２に替えて、導光管又は導光板であってもよい。集光ユニット３１は、採光装置２によって採光された光を集光する。導光用光ファイバ３２は、集光ユニットによって集光された光を建造物Ｈ内で導光する。分岐ユニット３３は、導光用光ファイバ３２によって導光された光を分岐する。照射装置５は、分岐ユニット３３によって分岐された光を照射する。
【００１８】
照明器具４は、照射装置５とは別個に発光装置６を有する。発光装置６は、電力供給を受けて発光して照射装置５による光を補う。また、照明器具４は、照射対象の明るさを測定する明るさセンサ７と、発光装置６の出力を制御する制御装置８とを有する。制御装置８は、明るさセンサに７よる測定結果に基づいて照射対象の明るさが所定の照度となるように発光装置６の出力を制御する。
【００１９】
建造物Ｈの構造躯体の形式は、鉄筋コンクリート造、鉄骨造、木造等である。建造物Ｈの用途は、オフィス、店舗、住宅等であり、限定されない。開口部Ｗは、建造物Ｈにおける外光が透過する部分であり、一般的には窓部である。開口部Ｗの近傍とは、開口部Ｗから入射する外光が受光できる部位であり、例えば、窓台、窓枠、ガラス障子に面する箇所である。採光装置２は、例えば、窓越しに外光を採光するように建造物Ｈ内に設置される。
【００２０】
図３及び図４に示されるように、採光装置２は、複数の採光ユニット２１と、ケーシングボックス２２とを有する。ケーシングボックス２２は、採光ユニット２１の数と同数の孔２２４を有する。採光ユニット２１は、孔２２４を貫通してケーシングボックス２２内から突出する支持軸２３によって支持される。採光ユニット２１は、大径開口２１１ａと小径開口２１１ｂとを有する円錐台形のケーシング２１１と、ケーシング２１１の大径開口２１１ａに設けられた採光レンズ２１２とを備える。採光レンズ２１２は、凸レンズから成る。採光ユニット２１は、採光レンズ２１２が外光の入射方向に向くように配置される。小径開口２１１ｂには、採光用光ファイバ２４の一方の端部が挿入される。採光用光ファイバ２４は、シール２１３を介してナット２１４でケーシング２１１に締め固定される。採光レンズ２１２は、採光用光ファイバ２４の端部に焦点を有し、入射した外光を屈折して採光用光ファイバ２４の端部に入射する。採光用光ファイバ２４は、屈折率の異なるアクリル樹脂によるコアとクラッドの多層構造を有する汎用のものであり、石英等の無機材料を用いたものでも良い。採光用光ファイバ２４の他方の端部は、ケーシングボックス２２内を経由し、ケーシングボックス２２の端面より引き出され、集光ユニット３１に接続される。ケーシングボックス２２は、その外部両端にリブ２２１が延出されている。リブ２２１が窓枠等へのねじ留めされることにより、ケーシングボックス２２が固定される。リブ２２１をテープ留め、フックによる吊下げ等をすることによりケーシングボックス２２を固定してもよい。
【００２１】
図５は、採光ユニット２１の変形例を示す。この採光ユニット２１は、凸レンズに替えて、ファイバ溶融型光結合器２１５をケーシング２１１内に有する。このファイバ溶融型光結合器２１５は、多数本の光ファイバを束ねて一端を局所加熱し、溶融延伸して細径化したものである。通常のファイバ溶融型光結合器は、光信号を結合するものであるので、光信号の伝送品質を維持するために束ねる光ファイバの本数は数本程度であるが、このファイバ溶融型光結合器２１５は、光エネルギーを結合すれば足りるので、より多数の光ファイバを束ねて作られる。ファイバ溶融型光結合器２１５の小径端部２１５ｂは、採光用光ファイバ２４に接続される。ファイバ溶融型光結合器２１５の大径端部２１５ａに入射した外光は、溶融型光結合器２１５内を進み、採光用光ファイバ２４に入射する。ケーシング２１１の大径開口２１１ａには、赤外線カットフィルタ２１６が設けられる。赤外線カットフィルタ２１６は、外光に含まれる赤外線を遮断し、ファイバ溶融型光結合器２１５と採光用光ファイバ２４の過熱を防ぐ。
【００２２】
図６は採光ユニット２１を支持する構成を示す。支持軸２３は、ケーシングボックス２２内の支持板２５に回動自在に立設され、ウォームホイール２３１を有する。ウォームホイール２３１は、ウォーム２５１と噛み合っている。ウォーム２５１は、支持板２５上に取り付けられたモータ２５２によって回転される。モータ２５２の回転により、ウォーム２５１及びウォームホイール２３１を介して支持軸２３が矢印Ａ１で示されるように回動され、採光ユニット２１が旋回される。採光ユニット２１の旋回によって、大径開口２１１ａの水平面内の向き、すなわち採光ユニット２１のヨー角が調整される。ウォームホイール２３１及びウォーム２５１に替えて、ラック・アンド・ピニオンを用いてもよい。
【００２３】
支持板２５は、矩形であり、一端がガイドレール２２２によって、対向する他端が電動スライダ２２３によって、ケーシングボックス２２に対してスライド可能に保持される。支持軸２３は、ケーシングボックス２２内の部分に自在継手２３２を有し、ケーシングボックス２２の孔２２４からケーシングボックス２２外に突出している。支持板２５を矢印Ａ２で示されるようにスライドすると、ケーシングボックス２２の孔２２４の孔縁を支点として支持軸２３が傾動する。支持軸２３の傾動によって、採光ユニット２１の大径開口２１１ａの垂直面内の向き、すなわち採光ユニット２１のピッチ角が調整される。このピッチ角の調整に伴うヨー角の変化は、支持軸２３の回転によって補正される。ガイドレール２２２に替えて、リニアガイドを用いてもよい。また、電動スライダ２２３に替えて、ラック・アンド・ピニオン及びモータを用いてもよい。
【００２４】
採光ユニット２１を支持する構成は、採光ユニット２１のヨー角及びピッチ角が調整可能であれは、上記の構成に限定されず、例えば、採光ユニット２１と支持軸２３との間に採光ユニット２１のピッチ角を調整する機構を設けてもよい。
【００２５】
モータ２５２及び電動スライダ２２３は、ケーシングボックス２２内に設けられた制御用回路（図示せず）によって制御される。採光ユニット２１が採光レンズ２１２を有するものである場合、採光レンズ２１２が太陽に正対するように制御回路によって採光ユニット２１を追尾制御することが望ましい。例えば、制御用回路は、日時と、採光装置２が設置された緯度及び経度に基づいて天球上の太陽位置を算出し、採光ユニット２１を追尾制御する。採光レンズ２１２を有する採光ユニット２１は、追尾制御される場合には外光として主に直射日光を採光し、追尾制御されない場合には外光として主に天空光を採光する。太陽光を採光する効率は、直射日光を採光するほうが高い。採光ユニット２１がファイバ溶融型光結合器２１５を有するものである場合、採光ユニット２１を正確に追尾制御しなくても効率的に採光可能であり、例えば、採光ユニット２１のピッチ角の調整を省略してもよい。
【００２６】
複数の採光ユニット２１が各々採光用光ファイバ２４を有するので、採光装置２によって採光された光は、複数本の採光用光ファイバ２４を介して導光装置３に入光される（図３参照）。導光装置３の集光ユニット３１は、入光された光を、採光用光ファイバ２４の本数よりも少ない本数の導光用光ファイバ３２に集光して出光する。導光用光ファイバ３２は、光を導光する。導光用光ファイバ３２によって導光された光は、分岐ユニット３３に入光される。分岐ユニット３３は、入光された光を、導光用光ファイバ３２の本数よりも多い本数の分岐用光ファイバ３４に分岐して出光する。導光用光ファイバ３２の本数は、原則として１本である。導光用光ファイバ３２及び分岐用光ファイバ３４は、屈折率の異なるアクリル樹脂によるコアとクラッドの多層構造を有する汎用のものであり、石英等の無機材料を用いたものでもよい。
【００２７】
集光ユニット３１は、入光側開口と出光側開口とを有するケーシング３１１と、凹面鏡３１２とを備える。入光側開口には採光用光ファイバ２４が挿入され、シールを介してケーシング３１１にナット締め固定される。出光側開口には分岐用光ファイバ３４が挿入され、シールを介してケーシング３１１にナット締め固定される。凹面鏡３１２は、採光用光ファイバ２４から入光された光を集光して導光用光ファイバ３２の端部に入射する。
【００２８】
分岐ユニット３３は、入光側開口と出光側開口とを有するケーシング３３１と、拡散用の凸面鏡３３２とを備える。入光側開口には導光用光ファイバ３２が挿入され、シールを介してケーシング３３１にナット締め固定される。出光側開口には分岐用光ファイバ３４が挿入され、シールを介してケーシング３３１にナット締め固定される。凸面鏡３３２は、導光用光ファイバ３２から入光された光を拡散して分岐用光ファイバ３４の端部に入射する。
【００２９】
図７に示されるように、集光ユニット３１は、凹面鏡に替えて、凸レンズ３１３を有してもよい。凸レンズ３１３は、複数本の採光用光ファイバ２４から入光された光を集光して１本の導光用光ファイバ３２の端部に入射する。また、分岐ユニット３３は、凸面鏡に替えて、凹レンズ３３３を有してもよい。凹レンズ３３３は、導光用光ファイバ３２から入光された光を拡散して複数本の分岐用光ファイバ３４の端部に入射する。
【００３０】
また、図８に示されるように、集光ユニット３１は、突き合せ接続による光結合器３１４を有してもよい。光結合器３１４は、複数本の採光用光ファイバ２４を１本の導光用光ファイバ３２のコア部に接続して構成される。導光用光ファイバ３２は、採光用光ファイバ２４よりも径の大きいものが用いられる。光結合器３１４は、採光用光ファイバ２４から入光された光を導光用光ファイバ３２の端部に入光する。また、分岐ユニット３３は、突き合せ接続による光分岐器３３４を有してもよい。光分岐器３３４は、１本の導光用光ファイバ３２のコア部を複数本の分岐用光ファイバ３４に接続して構成される。光分岐器３３４は、導光用光ファイバ３２から入光された光を分岐用光ファイバ３４の端部に入光する。
【００３１】
また、図９に示されるように、集光ユニット３１は、ファイバ溶融型光結合器３１５を有してもよい。ファイバ溶融型光結合器３１５は、複数本の採光用光ファイバ２４から入光された光を１本の導光用光ファイバ３２の端部に入光する。また、分岐ユニット３３は、ファイバ溶融型光分岐器３３５を有してもよい。ファイバ溶融型光分岐器３３５は、１本の導光用光ファイバ３２から入光された光を複数本の分岐用光ファイバ３４に入光する。
【００３２】
このように、導光装置３は、採光された光を集光ユニット３１によって集光してから導光するので、導光路である導光用光ファイバ３２の本数が少なくて済み、導光用光ファイバ３２の施工が容易となる。また、導光された光を分岐ユニット３３によって分岐することにより、複数の照射装置５に適切に光量配分することができる。
【００３３】
図１０及び図１１に示されるように、分岐用光ファイバ３４の各々の末端は、配線ダクト９内を経由して照射装置５に接続される。配線ダクト９は、建造物の天井面等に配置され、発光装置６、明るさセンサ７及び制御装置８に給電する。また、配線ダクト９は、導光装置３の一部である分岐用光ファイバ３４を収容する収容部９１を有する。照明器具４は、配線ダクト９に取り付けられる。
【００３４】
配線ダクト９は、下方に開口する略コの字形断面を有する長尺体９２を基本の構造部材として備える。長尺体９２は、底面部９３と側面部９４とを有する。側面部９４は、底面部９３より上方に延出する１対の延出片９５を有する。この延出片９５と底面部９３とで分岐用光ファイバ３４を収容するための収容部９１を形成する。長尺体９２の開口側には、底面部９３と略平行に内方側に延出する複数の延出片９６ａ、９６ｂ、９６ｃを有する。２対の延出片９６ａ、９６ｂは、照明器具４を取り付けるための溝状の係受部９６ｄを形成する。また、配線ダクト９は、照明器具４に給電するための１対の導体９７を有する。導体９７は、係受部９６ｄ近傍にある２対の延出片９６ｂ、９６ｃによって保持される。底面部９３は、長手方向に一定間隔で開口９８を有する。分岐用光ファイバ３４は、開口９８を通して収容部９１から引き出される。また、底面部９３は、開口９８と開口９８との間に肉盛りされた補強部９９ａを有する。補強部９９ａは、ねじ孔を有する。配線ダクト９は、ねじ９９ｂによって建造物に固定される。
【００３５】
照明器具４は、配線ダクト９の係受部９６ｄと組み付けられる係載部４１を有する。係載部４１は、照明器具４の外郭に設けられる軸部４２と、軸部４２の端部に回動自在に配置されて一体的に回動する２片の回動片４３、４４とを有する。１方の回動片４３は、回動によって係受部９６ｄと機械的に組みつけられる。他方の回動片４４は、受電用電極４５を有する。回動片４３が係受部９６ｄと機械的に組みつけられたとき、受電用電極４５は、配線ダクト９の導体９７と電気的に接触される。
【００３６】
このように、配線ダクト９を設けることにより、導光装置３、照射装置５、発光装置６、明るさセンサ７及び制御装置８を建造物の内装面に大きな影響を与えることなく施工することが出来る。このため、照明システム１を新設工事だけでなく改修工事として施工することが容易となる。
【００３７】
照明器具４は、照射装置５、発光装置６、明るさセンサ７及び制御装置８を一体的に有する。照射装置５を発光装置６等と一体化せず、単独の継ぎ手（図示せず）によって支持してもよく、この継ぎ手が多軸の回動機構を有し、鉛直面内及び水平面内で回動するように構成してもよい。
【００３８】
図１２に示されるように、照射装置５は、入光側開口５１ａと、出光側開口５１ｂと、を有するケーシング５１と、拡散用凹レンズ５２とを備える。入光側開口５１ａには分岐用光ファイバ３４が挿入されシールを介してケーシング５１にナット締め固定される。拡散用凹レンズ５２は、ケーシング５１の出光側開口５１ｂに配置される。分岐用光ファイバ３４から出射される光は、拡散用凹レンズ５２によって拡散されて照射される。
【００３９】
発光装置６は、照射装置５に隣接して配置される（図１１参照）。発光装置６は、光源としてのＬＥＤパッケージと、ＬＥＤパッケージから出射される光を配光する光学部材とを有し、制御装置８によって出力が制御される。
【００４０】
明るさセンサ７は、焦電素子と制御素子とを有する。焦電素子は、照射装置５及び発光装置６の照射対象、例えば床面を検知対象とするように設定されており、照射対象からの反射光によって明るさを検知する。制御素子は、焦電素子の出力電圧を閾値で区分けしたり、適切なレンジで増幅することにより、出力電圧を照度信号に変換し、測定結果として制御装置８に送信する。明るさセンサ７は、照射装置５及び発光装置６から制御装置８を介して離間して配置される。
【００４１】
明るさセンサ７のこのような配置によって、明るさセンサ７に照射装置５及び発光装置６からの直射光が入り難くなり、明るさの誤測定が低減される。
【００４２】
制御装置８は、ＡＣ／ＤＣコンバータと演算回路とを有する。ＡＣ／ＤＣコンバータは、配線ダクト９の導体９７から受電用電極４５で受電したＡＣ電圧をＤＣ電圧に変換して降圧し、制御装置８の演算回路、発光装置６及び明るさセンサ７に給電する。演算回路は、メモリ、時刻を計時するタイマ等を有し、明るさセンサ７による測定結果に基づいて照射対象の明るさが所定の照度となるように発光装置６の出力を制御する。所定の照度は、例えば、メモリに予め記憶された値、又は時刻によって規定される値とされる。
【００４３】
上記のように構成された照明システム１は、採光される外光が変動しても、発光装置６が照射装置５による光を補うので、照射対象の照度が変動せず、一定の照度が得られる。
【００４４】
なお、本発明は、上記の実施形態の構成に限られず、発明の要旨を変更しない範囲で種々の変形が可能である。例えば、照射装置５の分岐用光ファイバ３４と拡散用凹レンズ５２との間にシャッタを設けて、照明器具４の消灯時にシャッタを閉じるように構成してもよい。
【符号の説明】
【００４５】
１  外光利用照明システム
２  採光装置
３  導光装置
３１  集光ユニット
３２  導光用光ファイバ（導光路）
３３  分岐ユニット
３４  分岐用光ファイバ（導光装置の一部）
５  照射装置
６  発光装置
７  明るさセンサ
８  制御装置
９  配線ダクト
９１  収容部
Ｆ  床面（照射対象）
Ｈ  建造物
Ｗ  開口部
【図１】
2011154827.tif 000003
【図２】
2011154827.tif 000004
【図３】
2011154827.tif 000005
【図４】
2011154827.tif 000006
【図５】
2011154827.tif 000007
【図６】
2011154827.tif 000008
【図７】
2011154827.tif 000009
【図８】
2011154827.tif 000010
【図９】
2011154827.tif 000011
【図１０】
2011154827.tif 000012
【図１１】
2011154827.tif 000013
【図１２】
2011154827.tif 000014